(57)【特許請求の範囲】
【請求項１】
容器の口筒部に装着されるキャップ本体と、蓋体とからなる抜栓式キャップにおいて、
キャップ本体は、容器口部に装着される装着部と、該装着部に連設される注出方向およびその反対側を長軸とした略楕円形の注出部とを具え、
注出部は、注出方向の短径が縮径し、緩やかな頂点部を形成した略楕円形に形成された注出筒と、注出筒の内周下部に連設される隔壁とからなり、
隔壁は、破断可能な薄肉の弱化部により除去部が形成され、除去部の上面の注出方向の反対側に、支柱を介して指掛けリングが連設され、
弱化部は、注出筒の頂点部付近の内周近傍に沿って形成される前弱化部と、前弱化部の両端から内側後方に向かって延びる後弱化部と、支柱の後側周に沿って後弱化部の両端から形成される支柱弱化部とを形成することを特徴とする抜栓式キャップ。
【請求項２】
除去部を抜栓した後に隔壁に形成される注出口が、注出筒の頂点部付近の内周に沿って形成されていることを特徴とする請求項１記載の抜栓式キャップ。
【請求項３】
蓋体は、頂壁と、頂壁外縁に垂設される外周壁とを具え、
頂壁の下面に、閉蓋時にキャップ本体の略楕円形の注出筒の内周と外周が係合する形状に形成される密封筒が垂設されていることを特徴とする請求項１または２記載の抜栓式キャップ。
【発明の詳細な説明】
【技術分野】
【０００１】
本発明は、抜栓式キャップに関するものである。
【背景技術】
【０００２】
キャップの注出筒内方に設けた隔壁に、破断可能な弱化部を介して、指を掛けるプルリングを立設した除去部を形成し、キャップを、容器口部に装着して容器内を密封するとともに、隔壁の除去部を抜栓して注出口を形成し、内容液を注出するようにした抜栓式キャップは、従来より周知である（例えば、特許文献１参照）。
【先行技術文献】
【特許文献】
【０００３】
【特許文献１】特開２００３−３１２７０４号公報
【発明の概要】
【発明が解決しようとする課題】
【０００４】
しかしながら、特許文献１の抜栓式キャップでは、注出筒が円形となっており、内容液を注出する際に、注出口から注出した液が、注出筒の内周で広がってしまい、液流が安定せず、特に、醤油などの低粘度の液体を小径の口部の容器に詰替える際、液体が飛散したり、泡立ちが大きくなり、詰め替えすることが難しくなるという問題があった。
【０００５】
また、プルリングで除去部を引き上げ、弱化部を破断し、隔壁に注出口を開口させ、内容液を注出する際に、注出口と注出筒との間の隔壁が段差となり、液を一端堰き止めてしまうため、流出する液が安定せず、スムーズに注出しにくいという問題があった。
【０００６】
本発明は、上記問題を解決することを課題とし、隔壁に注出口を開口させた後、注出口から内容液を安定して注出筒に案内でき、注出筒からスムーズに注出することができるとともに、内容液の注出後、注出筒に付着した内容液を速やかに容器本体内に回収することのできる抜栓式キャップを提供することを目的とする。
【課題を解決するための手段】
【０００７】
本発明は、上記の課題を解決するため、抜栓式キャップとして、容器の口筒部に装着されるキャップ本体と、蓋体とからなる抜栓式キャップにおいて、キャップ本体は、容器口部に装着される装着部と、該装着部に連設される注出方向およびその反対側を長軸とした略楕円形の注出部とを具え、注出部は、注出方向の短径が縮径し、緩やかな頂点部を形成した略楕円形に形成された注出筒と、注出筒の内周下部に連設される隔壁とからなり、隔壁は、破断可能な薄肉の弱化部により除去部が形成され、除去部の上面の注出方向の反対側に、支柱を介して指掛けリングが連設され、弱化部は、注出筒の頂点部付近の内周近傍に沿って形成される前弱化部と、前弱化部の両端から内側後方に向かって延びる後弱化部と、支柱の後側周に沿って後弱化部の両端から形成される支柱弱化部とを形成することを特徴とする構成を採用する。
【０００８】
隔壁に形成される注出口の実施例として、除去部を抜栓した後に隔壁に形成される注出口が、注出筒の頂点部付近の内周に沿って形成されていることを特徴とする構成を採用する。
【０００９】
蓋体の実施例として、蓋体は、頂壁と、頂壁外縁に垂設される外周壁とを具え、頂壁の下面に、閉蓋時にキャップ本体の略楕円形の注出筒の内周と外周が係合する形状に形成される密封筒が垂設されていることを特徴とする構成を採用する。
【発明の効果】
【００１０】
容器の口筒部に装着されるキャップ本体と、蓋体とからなる抜栓式キャップにおいて、注出筒を注出方向が緩やかな頂点部を形成した略楕円形に形成することで、液流を頂点部に集中させることができ、内容液をスムーズに注出することができる。
また、隔壁の除去部を抜栓した後に隔壁に形成される注出口が、注出筒の頂点部付近の内周に沿って形成されているので、注出口と注出筒との間に邪魔がなく、内容液を安定してスムーズに注出することができ、また、内容液の注出後に注出筒に付着した内容液を速やかに容器本体内に回収することができる。
【図面の簡単な説明】
【００１１】
【図１】本発明の抜栓式キャップの説明図で、（ａ）は上面図、（ｂ）は断面立面図、（ｃ）は下面図である。
【図２】隔壁の除去部抜栓後の説明図で、（ａ）は上面図、（ｂ）は断面立面図である。
【発明を実施するための形態】
【００１２】
次に、本発明の抜栓式キャップの実施形態について、図面を参照して説明する。
図１において、Ａは容器本体の口筒部に装着されるキャップ本体、Ｂはキャップ本体ＡにヒンジＣを介して一体成形された蓋体である。
【００１３】
キャップ本体Ａは、本体の口筒部に装着する装着部１と、該装着部１に連設され、容器内の内容液を注出するヒンジ側、および、注出方向となるヒンジの反対側とを長径とした略楕円形の注出部２とからなっている。
【００１４】
装着部１は、内周が容器口部外周と嵌合する外筒３と、外筒３の上端内周に連設されるとともに、内縁に注出部２を連設するリング状の上壁部４と、上壁部４の上面に立設された蓋係合部５と、上壁部４の下面に垂設され、外周が容器口部内周と嵌合する内筒６とを具えている。
外筒３の外周上部の所定の位置には、ヒンジＣが連設される。
【００１５】
注出部２は、注出方向となるヒンジＣの反対側の短径がヒンジＣ側の短径より縮径した形状の略楕円形に形成され、ヒンジＣの反対側に緩やかな頂点部７ａを形成した注出筒７と、注出筒７の内周下部に連設される隔壁８とからなり、注出筒７の外周下部が上壁部４の内縁に連設されている。
【００１６】
隔壁８には、破断可能な薄肉の弱化部９により除去部１０が形成され、除去部１０の上面のヒンジＣ側には、支柱１１を介して指掛けリング１２が連設されている。
また、隔壁８には、弱化部９を介して除去部１０を切り離すことによって、図２に示すように、内容液を注出する注出口１３が形成される。
【００１７】
弱化部９は、ヒンジＣの反対側から両側に延び、注出筒７、特に頂点部７ａ付近の内周近傍に沿って形成される前弱化部９ａと、前弱化部９ａの両端から内側後方に向かって延びる後弱化部９ｂと、支柱１１の後側周に沿って後弱化部９ｂの両端から形成される支柱弱化部９ｃとを形成し、隔壁８に除去部１０を区画している。
【００１８】
除去部１０の形状にともない、注出口１３は、図２に示すように、ヒンジＣの反対側が注出筒７、特に頂点部７ａ付近の内周近傍に沿って形成されている。
【００１９】
蓋体Ｂは、頂壁１５と、頂壁１５外縁に垂設される外周壁１６と、頂壁１５の下面に垂設され、閉蓋時にキャップ本体Ａの略楕円形の注出筒７の内周と、外周が係合する形状に形成される密封筒１７とからなっている。
【００２０】
外周壁１６には、内周端部に、キャップ本体Ａの蓋係合部５外周と係合する係合部１８が設けられており、外周端の所定の位置に、ヒンジＣが連設されている。
【００２１】
次に、本実施形態の抜栓式キャップの作用効果について説明する。
蓋体Ｂを閉蓋する際には、蓋体ＢをヒンジＣを介して廻動させ、キャップ本体Ａの装着部１の蓋係合部５の外周と、蓋体Ｂの外周壁１６の係合部１８とを係合させることによって、閉蓋状態とし、かつ、閉蓋状態を維持させる。
【００２２】
キャップ本体Ａの隔壁８の注出口を開口する際には、蓋体Ｂを開蓋し、キャップ本体Ａの注出部２の隔壁８の指掛けリング１２に指などを掛け、引っ張り上げ、まず、支柱を介して、支柱弱化部９ｃ、次いで、両側の後弱化部９ｂ、最後に、前弱化部９ａと順に弱化部９をヒンジＣ側から破断させていく。
【００２３】
最後に、隔壁８の除去部１０を抜栓し、図２に示すように、隔壁８に注出口１３を開口する。
隔壁８に注出口１３が開口された後、容器を注出方向となるヒンジＣの反対側に傾けることによって、容器内の内容液を注出筒７を介して注出することができる。
【００２４】
本実施形態の抜栓式キャップは、注出筒７が、略楕円形であるとともに、ヒンジＣの反対側を緩やかな頂点部７ａとしているので、内容液を注出する際に、頂点部７ａ付近の内壁面により、液流を頂点部７ａに集中させることができ、内容液をスムーズに注出することができる。
特に、低粘度の醤油、酢、酒などの液体を使用した場合は注ぎ易くなり、小径の口部の容器に醤油などを詰替える際、滑らかに液体を注出できるので、液体が飛散したり、泡立ちを少なくすることができ、詰め替え易くすることができる。
【００２５】
また、キャップ本体Ａの注出部２の隔壁８の前弱化部９ａを注出筒７の内周近傍に設けることによって、除去部１０を除去して注出口１３を開口した際に、ヒンジＣの反対側の注出筒７、特に頂点部７ａ付近と注出口１３との間に隔壁８が残らないので、注出口１３から内容液を注出する際に、液流の邪魔となる段差としての隔壁８がなくなり、流出する液が安定して、内容液をスムーズに注出することができる。
さらに、ヒンジＣの反対側の注出筒７の内周と注出口１３との間に隔壁８が残らないので、内容液の注出後、注出筒７内周に付着した内容液を、より速やかに、注出口１３から容器内に回収することができる。
【００２６】
隔壁８に注出口１３が開口された後は、蓋体Ｂを閉蓋して容器内を密封することができる。
その際、キャップ本体Ａの注出筒７の内方に、蓋体Ｂの密封筒１７の外面が密接し、注出筒７より内方を密封する。
【００２７】
上記実施形態では、キャップ本体と、蓋体とをヒンジを介して連設したヒンジキャップとしたが、別に、ヒンジを介して連設したものではなくても、注出方向が決めてある注出筒の内周に隔壁を具えるキャップ本体と、それに、嵌着や螺着などで装着または被嵌する蓋体などのようにそれぞれが独立したものでもよい。
したがって、隔壁を具えるキャップと、それに装着または被嵌する蓋体の構成は、上記実施形態に限定されない。
【産業上の利用可能性】
【００２８】
本発明は、隔壁を具えるキャップ本体において、注出筒のヒンジの反対側に緩やかな頂点部を形成し、また、隔壁から除去部を抜栓するための破断可能な弱化部をヒンジの反対側の注出筒の頂点部の内周近傍に設けることによって、内容液をスムーズに注出することができるとともに、内容液の注出後、付着した内容液を、速やかに容器内に回収することができるので、各種の抜栓式キャップとして広く利用することができる。
【符号の説明】
【００２９】
Ａ          キャップ本体
Ｂ          蓋体
Ｃ          ヒンジ
１          装着部
２          注出部
３          外筒
４          上壁部
５          蓋係合部
６          内筒
７          注出筒
７ａ        頂点部
８          隔壁
９          弱化部
９ａ        前弱化部
９ｂ        後弱化部
９ｃ        支柱弱化部
１０        除去部
１１        支柱
１２        指掛けリング
１３        注出口
１５        頂壁
１６        外周壁
１７        密封筒
１８        係合部
【図１】
0005995531.tif 000002
【図２】
0005995531.tif 000003